(57)【要約】【課題】炊飯器から外部に漏れる磁界（磁束）を低減し、かつ本体をコンパクト化した炊飯器を提供する。【解決手段】アース８ａを有する電源８に接続された本体１と、前記本体１に着脱自在に収納される鍋２と、前記鍋２を誘導加熱する加熱コイル４の動作を制御する加熱制御部６と、前記加熱コイル４の側外外周側方に位置し、前記加熱コイル４より発生する磁束が前記本体１の外へ放出されることを低減すると共に、環状の導電材料からなる防磁材７を備え、前記防磁材７と前記アース８ａを導電体１１で電気的に接続したもので、前記加熱コイル４と前記加熱制御部６の双方から発する磁束を防磁材７で低減し、前記防磁材７と前記電源８のアース８ａとを導電体１１で接続して、アース８ａに落とすことにより、磁束の本体１の外へ漏れを更に低減することができる。【選択図】図１
2013069519.tif 000002
【特許請求の範囲】
【請求項１】
アースを有する電源に接続された本体と、前記本体に着脱自在に収納される鍋と、前記鍋を誘導加熱する加熱コイルの動作を制御する加熱制御部と、前記加熱コイルの側外外周側方に位置し、前記加熱コイルより発生する磁束が前記本体の外へ放出されることを低減すると共に、環状の導電材料からなる防磁材を備え、前記防磁材と前記アースを導電体で電気的に接続した炊飯器。
【請求項２】
防磁材とアースを電気的に接続する導電体の中間にコイルを配設した請求項１に記載の炊飯器。
【発明の詳細な説明】
【技術分野】
【０００１】
本発明は、炊飯器に関するものである。
【背景技術】
【０００２】
近年、電磁誘導加熱を利用し、さらに利便性から本体外形をコンパクト化された炊飯器が市場で広まっている。従来のこの種の炊飯器の構成として、図３に示すようなものがあった（例えば、特許文献１参照）。
【０００３】
図３は、上記特許文献１に記載された従来の炊飯器の断面図である。
【０００４】
図３において、上面が開口する外郭をボディ１１３で形成された本体１０１は、開閉自在の蓋１０２に覆われている。本体１０１の内部には、鍋１０３が着脱自在に収納されている。鍋１０３は、ステンレス、鉄などの磁性体によって形成されている。保護枠１０４は、鍋１０３の収納部であり、非金属材料により有底円筒状に形成されている。保護枠１０４の外側には、鍋１０３を誘導加熱する加熱コイル１０５が配設されている。
【０００５】
加熱コイル１０５は、保護枠１０４の底面外側に配設された内コイル１０６と、その外周上に配設された外コイル１０７とから構成されている。
【０００６】
更に、加熱コイル１０５の外方には、フェライト１０８を配設しており、これにより、外部への防磁（炊飯器の外部に漏れる磁束を低減すること）を行う。
【０００７】
本体１０１は、鍋１０３の温度を測定する温度センサ１０９と、加熱コイル１０５を駆動し制御する加熱制御部１１０と、導電材料製（例えば、アルミニウム製）でおよそ筒状の防磁材１１１を備えている。
【０００８】
加熱制御部１１０には、加熱コイル１０５に高周波電力を供給するために高電圧、大電流を発生させるスイッチング素子や整流素子などの高電力素子１１２を備えている。
【０００９】
防磁材１１１は、加熱コイル１０５の外周側方で、防磁材１１１の上下面は、加熱コイル１０５の上面・下面よりそれぞれ上方・下方に位置するよう設けられている。
【００１０】
防磁材１１１には、防磁材１１１を通過する磁界を打ち消すような渦電流が発生し、磁束の通過を低減する。防磁材１１１は、コンパクト化された炊飯器において、炊飯器の外部に漏れる磁界（磁束）を低減することにより、加熱コイル１０５の外側に漏れた磁束によって、本体１０１又は本体１０１の近傍にある部材の温度が上昇する、または本体１０１の近傍に配置している電気製品が磁束の影響によって誤動作するなどの不具合が発生することを防止するものである。
【先行技術文献】
【特許文献】
【００１１】
【特許文献１】特公平４−３６００９号公報
【発明の概要】
【発明が解決しようとする課題】
【００１２】
しかしながら前記従来の炊飯器の構成では、加熱制御部１１０に備えるスイッチング素子や整流素子などの高電力素子１１２からも磁束が発生するのであるが、防磁材１１１は、加熱コイル１０５より発する磁束が外部に漏れることを低減するよう配置していたため、高電力素子１１２から発せられる磁束が、本体１０１外へ漏れることに関して対策が行われているが、近年の一般家庭では、アース端子付の家庭用電源コンセントの普及もしており、高度に電子化された家電製品が使用されており、更に漏れ磁界対策が求められている。
【００１３】
本発明は、前記従来の課題を解決するもので、炊飯器から外部に漏れる磁界（磁束）を低減しつつコンパクト化した炊飯器を提供することを目的とする。
【課題を解決するための手段】
【００１４】
前記従来の課題を解決するために本発明の炊飯器は、アースを有する電源に接続された本体と、前記本体に着脱自在に収納される鍋と、前記鍋を誘導加熱する加熱コイルの動作を制御する加熱制御部と、前記加熱コイルの側外外周側方に位置し、前記加熱コイルより発生する磁束が前記本体の外へ放出されることを低減すると共に、環状の導電材料からなる防磁材を備え、前記防磁材と前記アースを導電体で電気的に接続したもので、前記加熱コイルと前記加熱制御部の双方から発する磁束を防磁材で低減し、前記防磁材と前記電源のアースとを導電体で接続して、アースに落とすことにより、磁束の本体外へ漏れを更に低減することができる。
【発明の効果】
【００１５】
本発明の炊飯器は、炊飯器から外部に漏れる磁界（磁束）を低減し、かつ本体をコンパクト化した炊飯器を提供することができる。
【図面の簡単な説明】
【００１６】
【図１】本発明の実施の形態１における炊飯器の構成を示す図
【図２】同炊飯器の他の例を示す構成図
【図３】従来の炊飯器の断面図
【発明を実施するための形態】
【００１７】
第１の発明は、アースを有する電源に接続された本体と、前記本体に着脱自在に収納される鍋と、前記鍋を誘導加熱する加熱コイルの動作を制御する加熱制御部と、前記加熱コイルの側外外周側方に位置し、前記加熱コイルより発生する磁束が前記本体の外へ放出されることを低減すると共に、環状の導電材料からなる防磁材を備え、前記防磁材と前記アースを導電体で電気的に接続したもので、前記加熱コイルと前記加熱制御部の双方から発する磁束を防磁材で低減し、前記防磁材と前記電源のアースとを導電体で接続して、アースに落とすことにより、磁束の本体外へ漏れを更に低減することができる。
【００１８】
第２の発明は、特に、第１の発明の防磁材とアースを電気的に接続する導電体の中間にコイルを配設したもので、導電体上のコイル値を変えて特定周波数の磁束の本体外へ漏れを更に低減することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における炊飯器の構成を示す図である。
【００２１】
図１において、本実施の形態における炊飯器の本体１に、アース８ａを有する電源８が接続され、高電力素子などからなる加熱制御部６に電力が供給され、加熱制御部６は、加熱コイル４に接続されている。
【００２２】
加熱コイル４は、耐熱性のある樹脂で成形した保護枠３の底面に配置され、保護枠３の上面に置かれた鍋２と磁気結合する形で配置される。加熱コイル４の外方には、フェライト５をおよそ均等に数箇所備えており、磁束が、本体１の外部へ漏れるのを防止し、かつ鍋２への誘導加熱を促進する働きをしている。さらに、加熱コイル４の側外方には、帯状のアルミニウム板などの導電材料をおよそ環状にして形成された防磁材７を配置し、防磁性能の向上を行っている。
【００２３】
また、保護枠３の底部中央に、鍋２の温度を検知する手段として、バネ（図示せず）により鍋２方向へ押圧力を有する鍋温度検知手段１０を配置している。防磁材７とアース８ａを有する電源８のアース接続部９を導電体１１で、電気的に接続している。この導電体１１は、防磁材７にリベット等の機械的な接続により、電気的導通を確保している。
【００２４】
以上のように構成された本実施の形態における炊飯器について、以下その動作、作用を説明する。
【００２５】
鍋２の加熱時には、加熱コイル４から磁界が発生するのであるが、この発生した磁界の鍋２側は、鍋２を加熱するのであるが、鍋２以外の方向の磁界は、本体１外に放出されるため、フェライト５により本体１外へ放出される磁束を吸収し、さらに防磁材７により加熱コイル４から生じる磁界を打ち消すような電流を流すことにより本体１外への磁界の漏れを防止している。
【００２６】
また、鍋２の加熱時には、加熱制御部６にも高電力を発生させるため磁界が発生し、加熱制御部６周囲に放出されるが、加熱制御部６を、防磁材７の内包で防磁材７の上下端面内に収まるよう配置していることにより、磁界は、防磁材７により低減され本体１の外への磁界の漏れを防止している。
【００２７】
防磁材７による防磁では、防磁材７には、防磁材７を通過する磁界を打ち消すような電流が発生し磁界の漏れを防止しているが、今までは、この防磁材７そのものが、どこにも電気的に接続しておらず電位が安定していなかった。
【００２８】
そこで、本実施の形態では、防磁材７と、アース８ａを有する電源８のアース接続部９とを導電体１１で電気的に接続するようにしたもので、防磁材７の電位がアース８ａで安定するので、防磁材７の防磁性能を向上させることができる。
【００２９】
また、図２に示すように、防磁材７とアース接続部９とを導電体１１で接続した中間にコイル１２を配置して、そのコイル１２のコイル値を変えるようにすれば、特定周波数の磁束の防磁性能を向上させることができる。
【００３０】
また、導電体１１に、加熱コイル４からのノイズが重畳しても、それを減少させることができる。
【００３１】
また、コイル１２を、アース８ａを有する電源８のアース接続部９に近づけるとより、導電体１１に重畳する多くのノイズを除去できる。この導電体１１は、導電体１１の外周に絶縁材を有する構成としても何ら問題なく同様の効果が得られるものである。さらに、防磁材７を小型化することにより本体１をコンパクト化することができる。
【産業上の利用可能性】
【００３２】
以上のように本発明にかかる炊飯器は、炊飯器から外部に漏れる磁界（磁束）を低減しつつコンパクト化することができるもので、家庭用および業務用の各種炊飯器に有用である。
【符号の説明】
【００３３】
１    本体
２    鍋
３    保護枠
４    加熱コイル
５    フェライト
６    加熱制御部
７    防磁材
８    電源
８ａ  アース
９    アース接続部
１０  鍋温度検知手段
１１  導電体
１２  コイル
【図１】
2013069519.tif 000003
【図２】
2013069519.tif 000004
【図３】
2013069519.tif 000005